(57)【要約】【課題】本発明は歯ブラシ消毒セットを開示した。【解決手段】本発明は歯ブラシ消毒セットを公示し、消毒装置を含み、前記消毒装置の中には動力空間が設置され、前記動力空間の中には動力装置が設置され、前記動力空間の上端壁には水箱が設置され、前記水箱の後端壁には給水口が設置され、前記給水口は外部空間と連通しており、前記水箱の中には水箱装置が設置され、前記動力装置は前記水箱装置の回転を制御することで、前記モーター軸、前記モーター左傘歯車と前記モーター右傘歯車を回転連動させ、本装置は歯ブラシの洗浄と消毒を実現し、歯ブラシが長期に消毒や殺菌をしないことによる口内衛生、ひいては健康への悪影響を免れ、人々が口腔疾患に患う確率をある程度に下げられる。【選択図】図１
2020179092.tif 000002
【特許請求の範囲】
【請求項１】
歯ブラシ消毒セットであり、消毒装置を含み、前記消毒装置の中には動力空間が設置され、前記動力空間の中には動力装置が設置され、前記動力空間の上端壁には水箱が設置され、前記水箱の後端壁には給水口が設置され、前記給水口は外部空間と連通しており、前記水箱の中には水箱装置が設置され、前記動力装置は前記水箱装置の回転を制御し、前記水箱の左端壁には主水管が設置され、前記動力空間の上端壁には軸溝を三つ対称的に設置され、前記軸溝の上端壁にはそれぞれトリガー溝が設置され、前記トリガー溝にはトリガーが設置され、前記トリガー溝の左端には引掛りブロック引掛り溝が設置され、前記引掛りブロック引掛り溝の左端壁には移動空間が設置され、前記移動空間の左端壁には縦溝が設置され、前記トリガー溝の上端には作動空間が設置され、前記作動空間の後端壁には外部と連通した排水口が設置され、前記作動空間の中には浄化装置が設置され、前記動力装置は前記浄化装置の回転及び移動を制御し、前記作動空間の上端壁には開閉装置が設置され、前記作動空間の右端壁は従水管と連通しており、前記従水管の下端壁は前記主水管と連通しており、前記作動空間の上端壁には外部空間と連通した通路溝が設置され、前記通路溝の左右端壁にはそれぞれ小ブロック滑り溝が対称的に設置され、左端に位置する前記ブロック滑り溝の左端壁には縄溝が設置され、前記縄溝の左端壁は前記縦溝と連通しておることを特徴とする歯ブラシ消毒セット。
【請求項２】
前記動力装置にはモーターを含み、前記モーターと前記動力空間の右端壁とは固定的に連結され、前記動力空間の左端にはモーター軸が伝動できるように連結され、前記モーター軸は前記動力空間の左端壁と転動できるように連結され、前記モーター軸の右端にはモーター右傘歯車が設置され、前記モーター軸の左端には同様のモーター左傘歯車が三つ設置されることを特徴とする請求項１に記載の歯ブラシ消毒セット。
【請求項３】
前記水箱装置にはギアポンプを含み、前記ギヤポンプの下端にはギヤポンプ軸が設置され、前記ギヤポンプ軸と前記水箱の下端壁は前記動力空間の上端壁と転動できるように連結され、前記ギヤポンプ軸の下端には前記モーター右傘歯車と噛み合った連結傘歯車が設置され、前記連結傘歯車は転動することで、前記ギヤポンプに動力を与えられることを特徴とする請求項１に記載の歯ブラシ消毒セット。
【請求項４】
前記開閉装置は左中右三つあり、左側のを例としてすれば、前記開閉装置は開閉板を含み、前記開閉板は総計二つ設置されており、前記開閉板の中には開口板軸が設置され、前記開口板軸の上には開口板捩りばねが設置され、前記開口板軸は前記作動空間の前後端壁とそれぞれ転動できるように連結され、前記開閉板の左右端面にはそれぞれ小ブロック滑り溝が設置され、左端の前記小ブロック滑り溝の左端壁には縄溝が設置され、前記縄溝の左端壁と前記縦溝と連通しており、前記小ブロック滑り溝の中には小ブロックがそれぞれ滑られるように連結され、前記小ブロックの左右端面にはそれぞれ当接したラバーパッドが設置され、前記小ブロックと前記小ブロック滑り溝の間には小ブロックパネが連結され、前記縦溝の前後端壁には定滑車が転動できるように連結され、前記縦溝の中には縄ブロックが滑られるように連結され、左端の前記小ブロックの左端面は前記定滑車によって、前記縄ブロックとの間に長縄が連結されておることを特徴とする請求項１に記載の歯ブラシ消毒セット。
【請求項５】
前記浄化装置は左中右三つあり、左側のを例としてすれば、前記浄化装置は軸スリーブを含み、前記軸スリーブと前記作動空間の下端壁は前記トリガー溝の上端壁と転動できるように連結され、前記軸スリーブの上端には洗浄ローラーが設置され、前記洗浄ローラーの中には上下対称の輪状滑り溝が設置され、前記輪状滑り溝の中には小穴が設置され、前記作動空間の右端壁にはノズル板が設置され、前記ノズル板の中には前記輪状滑り溝と滑られるように連結されたノズルが上下対称に設置され、前記ノズルの右端は前記従水管と連通しており、前記噴水空間の上下端壁には縦軸が転動できるように連結され、前記縦軸の上端には固定板が左右対称に設置され、前記固定板の上端面には固定溝がそれぞれ設置され、前記固定溝の中には固定ブロックが滑られるように連結され、前記固定ブロックと前記固定溝の間には固定ばねが連結され、前記縦軸は下へ伸びて前記軸スリーブと滑られるように連結され、前記縦軸の左右端には位置制限溝が対称的に設置され、前記位置制限溝の内部の後端には位置制限ブロックが設置され、前記位置制限ブロックは前記縦軸と固定的に連結され、前記位置制限ブロックと前記位置制限溝との間に位置制限ばねが連結され、前記縦軸の下端にはトリガー板が転動できるように連結され、前記縦軸の底端には前記モーター左傘歯車と噛み合えるの縦軸傘歯車が設置され、前記作動空間の左端壁には前記乾燥消毒灯が設置され、
前記トリガー装置は左中右三つあり、左側のを例としてすれば、前記トリガー装置は止め板軸を含み、前記止め板軸は前記トリガー溝の前後端壁と転動できるように連結され、前記止め板軸の上には止め板捩りばねが設置され、前記止め板捩りばねの上には止め板が設置され、前記トリガー溝と前記従水管の間にはスイッチ溝が連通され、前記止め板と前記スイッチ溝は前記従水管と滑られるように連結され、前記スイッチ溝と前記トリガー板の間には短縄が連結され、前記トリガー板の左端面には引掛りブロック引掛り溝が設置され、前記引掛りブロック引掛り溝の中には引掛りブロックが滑られるように連結され、前記引掛りブロックと前記引掛りブロック引掛り溝の間には引掛りブロックばねが連結され、前記移動空間の中にはブロック板が滑られるように連結され、前記ブロック板の左端には台形ブロックが設置され、前記短縄の右端には前記引掛りブロック引掛り溝と滑られるように連結された右ブロックが設置され、前記ブロック板と前記移動空間の右端壁との間にはブロック板ばねが連結され、前記引掛りブロックばねは前記ブロック板ばねより弾力が大きく、前記台形ブロックは前記縄ブロックと当接しておることを特徴とする請求項１に記載の歯ブラシ消毒セット。
【発明の詳細な説明】
【技術分野】
【０００１】
本発明はセルフケア分野を取り上げて、具体的には歯ブラシ消毒セットである。
【背景技術】
【０００２】
現在、日進月歩の人類社会において、個人衛生と口内ケアはより多くの人々に重要視されている。しかし、日常生活では、人々は歯磨きをしてから、使い終えた歯ブラシをそのままコップにいれることが多い。洗面所といった湿気を帯びた環境では、歯ブラシにはばい菌が生えやすいため、口内衛生に悪影響を与えかねる。ゆくゆくは人々の健康も損なわれる。よって、歯ブラシを消毒及び洗浄できる設備の開発は非常に必要である。
【先行技術文献】
【特許文献】
【０００３】
【特許文献１】中国特許出願公開第１０５１６９４３０号明細書
【発明の概要】
【発明が解決しようとする課題】
【０００４】
本発明は歯ブラシ消毒セットを提供し、既存技術にある上記の欠点を解消することを目的とする。
【課題を解決するための手段】
【０００５】
本発明の歯ブラシ消毒セットは、消毒装置を含み、前記消毒装置の中には動力空間が設置され、前記動力空間の中には動力装置が設置され、前記動力空間の上端壁には水箱が設置され、前記水箱の後端壁には給水口が設置され、前記給水口は外部空間と連通しており、前記水箱の中には水箱装置が設置され、前記動力装置は前記水箱装置の回転を制御し、前記水箱の左端壁には主水管が設置され、前記動力空間の上端壁には軸溝を三つ対称的に設置され、前記軸溝の上端壁にはそれぞれトリガー溝が設置され、前記トリガー溝にはトリガーが設置され、前記トリガー溝の左端には引掛りブロック引掛り溝が設置され、前記引掛りブロック引掛り溝の左端壁には移動空間が設置され、前記移動空間の左端壁には縦溝が設置され、前記トリガー溝の上端には作動空間が設置され、前記作動空間の後端壁には外部と連通した排水口が設置され、前記作動空間の中には浄化装置が設置され、前記動力装置は前記浄化装置の回転及び移動を制御し、前記作動空間の上端壁には開閉装置が設置され、前記作動空間の右端壁は従水管と連通しており、前記従水管の下端壁は前記主水管と連通しており、前記作動空間の上端壁には外部空間と連通した通路溝が設置され、前記通路溝の左右端壁にはそれぞれ小ブロック滑り溝が対称的に設置され、左端に位置する前記ブロック滑り溝の左端壁には縄溝が設置され、前記縄溝の左端壁は前記縦溝と連通しておる。
【０００６】
有益的には、前記動力装置にはモーターを含み、前記モーターと前記動力空間の右端壁とは固定的に連結され、前記動力空間の左端にはモーター軸が伝動できるように連結され、前記モーター軸は前記動力空間の左端壁と転動できるように連結され、前記モーター軸の右端にはモーター右傘歯車が設置され、前記モーター軸の左端には同様のモーター左傘歯車が三つ設置される。
【０００７】
有益的には、前記水箱装置にはギアポンプを含み、前記ギヤポンプの下端にはギヤポンプ軸が設置され、前記ギヤポンプ軸と前記水箱の下端壁は前記動力空間の上端壁と転動できるように連結され、前記ギヤポンプ軸の下端には前記モーター右傘歯車と噛み合った連結傘歯車が設置され、前記連結傘歯車は転動することで、前記ギヤポンプに動力を与えられる。
【０００８】
有益的には、  前記開閉装置は左中右三つあり、左側のを例としてすれば、前記開閉装置は開閉板を含み、前記開閉板は総計二つ設置されており、前記開閉板の中には開口板軸が設置され、前記開口板軸の上には開口板捩りばねが設置され、前記開口板軸は前記作動空間の前後端壁とそれぞれ転動できるように連結され、前記開閉板の左右端面にはそれぞれ小ブロック滑り溝が設置され、左端の前記小ブロック滑り溝の左端壁には縄溝が設置され、前記縄溝の左端壁と前記縦溝と連通しており、前記小ブロック滑り溝の中には小ブロックがそれぞれ滑られるように連結され、前記小ブロックの左右端面にはそれぞれ当接したラバーパッドが設置され、前記小ブロックと前記小ブロック滑り溝の間には小ブロックパネが連結され、前記縦溝の前後端壁には定滑車が転動できるように連結され、前記縦溝の中には縄ブロックが滑られるように連結され、左端の前記小ブロックの左端面は前記定滑車によって、前記縄ブロックとの間に長縄が連結されておる。
【０００９】
前記浄化装置は左中右三つあり、左側のを例としてすれば、前記浄化装置は軸スリーブを含み、前記軸スリーブと前記作動空間の下端壁は前記トリガー溝の上端壁と転動できるように連結され、前記軸スリーブの上端には洗浄ローラーが設置され、前記洗浄ローラーの中には上下対称の輪状滑り溝が設置され、前記輪状滑り溝の中には小穴が設置され、前記作動空間の右端壁にはノズル板が設置され、前記ノズル板の中には前記輪状滑り溝と滑られるように連結されたノズルが上下対称に設置され、前記ノズルの右端は前記従水管と連通しており、前記噴水空間の上下端壁には縦軸が転動できるように連結され、前記縦軸の上端には固定板が左右対称に設置され、前記固定板の上端面には固定溝がそれぞれ設置され、前記固定溝の中には固定ブロックが滑られるように連結され、前記固定ブロックと前記固定溝の間には固定ばねが連結され、前記縦軸は下へ伸びて前記軸スリーブと滑られるように連結され、前記縦軸の左右端には位置制限溝が対称的に設置され、前記位置制限溝の内部の後端には位置制限ブロックが設置され、前記位置制限ブロックは前記縦軸と固定的に連結され、前記位置制限ブロックと前記位置制限溝との間に位置制限ばねが連結され、前記縦軸の下端にはトリガー板が転動できるように連結され、前記縦軸の底端には前記モーター左傘歯車と噛み合えるの縦軸傘歯車が設置され、前記作動空間の左端壁には前記乾燥消毒灯が設置されておる。
【００１０】
前記トリガー装置は左中右三つあり、左側のを例としてすれば、前記トリガー装置は止め板軸を含み、前記止め板軸は前記トリガー溝の前後端壁と転動できるように連結され、前記止め板軸の上には止め板捩りばねが設置され、前記止め板捩りばねの上には止め板が設置され、前記トリガー溝と前記従水管の間にはスイッチ溝が連通され、前記止め板と前記スイッチ溝は前記従水管と滑られるように連結され、前記スイッチ溝と前記トリガー板の間には短縄が連結され、前記トリガー板の左端面には引掛りブロック引掛り溝が設置され、前記引掛りブロック引掛り溝の中には引掛りブロックが滑られるように連結され、前記引掛りブロックと前記引掛りブロック引掛り溝の間には引掛りブロックばねが連結され、前記移動空間の中にはブロック板が滑られるように連結され、前記ブロック板の左端には台形ブロックが設置され、前記短縄の右端には前記引掛りブロック引掛り溝と滑られるように連結された右ブロックが設置され、前記ブロック板と前記移動空間の右端壁との間にはブロック板ばねが連結され、前記引掛りブロックばねは前記ブロック板ばねより弾力が大きく、前記台形ブロックは前記縄ブロックと当接しておる。
【発明の効果】
【００１１】
本発明の有益な効果は：本装置は歯ブラシの洗浄と消毒を実現し、歯ブラシが長期に消毒や殺菌をしないことによる口内衛生、ひいては健康への悪影響を免れ、人々が口腔疾患に患う確率をある程度に下げられる。
【図面の簡単な説明】
【００１２】
【図１】図１は本発明の歯ブラシ消毒セットの全体断面の正面構成模式図
【図２】図２は本発明の図１におけるＡの局部拡大図
【図３】図３は本発明の歯ブラシの模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書（いかなる追加特許請求、要約及び附図を含み）に開示した全ての特徴は、特別な叙述がない限り、そのほかの同等或いは類似する目的を持つ代替特徴に取り替えられる。要するに、特別な叙述がない限り、全ての特徴はただ一連の同等或いは類似する特徴の中の一つの例だけである。
【００１５】
以下に図１〜３を交えて本発明について詳しく説明し、簡潔に述べられるよう、ここで下記の方位を規定する：下記の上下左右前後方向は図１本体における投影関係の上下左右前後の方向と一致する。
【００１６】
附図１〜３を参照し、本発明は下記の実施例を採用する：歯ブラシ消毒セットであり、消毒装置１００を含み、前記消毒装置１００の中には動力空間２７が設置され、前記動力空間２７の中には動力装置１０１が設置され、前記動力空間２７の上端壁には水箱２１が設置され、前記水箱２１の後端壁には給水口３１が設置され、前記給水口３１は外部空間と連通しており、前記水箱２１の中には水箱装置１０２が設置され、前記動力装置１０１は前記水箱装置１０２の回転を制御し、前記水箱２１の左端壁には主水管２６が設置され、前記動力空間２７の上端壁には軸溝５４を三つ対称的に設置され、前記軸溝５４の上端壁にはそれぞれトリガー溝５３が設置され、前記トリガー溝５３にはトリガー１０３が設置され、前記トリガー溝５３の左端には引掛りブロック引掛り溝７７が設置され、前記引掛りブロック引掛り溝７７の左端壁には移動空間５９が設置され、前記移動空間５９の左端壁には縦溝３２が設置され、前記トリガー溝５３の上端には作動空間７４が設置され、前記作動空間７４の後端壁には外部と連通した排水口６４が設置され、前記作動空間７４の中には浄化装置１０４が設置され、前記動力装置１０１は前記浄化装置１０４の回転及び移動を制御し、前記作動空間７４の上端壁には開閉装置１０５が設置され、前記作動空間７４の右端壁は従水管４９と連通しており、前記従水管４９の下端壁は前記主水管２６と連通しており、前記作動空間７４の上端壁には外部空間と連通した通路溝４１が設置され、前記通路溝４１の左右端壁にはそれぞれ小ブロック滑り溝３７が対称的に設置され、左端に位置する前記ブロック滑り溝３７の左端壁には縄溝３４が設置され、前記縄溝３４の左端壁は前記縦溝３２と連通しておる。  
【００１７】
前記動力装置１０１にはモーター２３を含み、前記モーター２３と前記動力空間２７の右端壁とは固定的に連結され、前記動力空間２７の左端にはモーター軸２８が伝動できるように連結され、前記モーター軸２８は前記動力空間２７の左端壁と転動できるように連結され、前記モーター軸２８の右端にはモーター右傘歯車２５が設置され、前記モーター軸２８の左端には同様のモーター左傘歯車２９が三つ設置され、前記モーター２３を起動し、前記モーター軸２８を連動させ、前記モーター左傘歯車２９及び前記モーター右傘歯車２５を回転させることで、装置全体に動力を与えられる。
【００１８】
前記水箱装置１０２にはギアポンプ２２を含み、前記ギヤポンプ２２の下端にはギヤポンプ軸７９が設置され、前記ギヤポンプ軸７９と前記水箱２１の下端壁は前記動力空間２７の上端壁と転動できるように連結され、前記ギヤポンプ軸７９の下端には前記モーター右傘歯車２５と噛み合った連結傘歯車２４が設置され、前記連結傘歯車２４は転動することで、前記ギヤポンプ２２に動力を与え、装置全体に清潔用水を提供できる。
【００１９】
前記開閉装置１０５は左中右三つあり、左側のを例としてすれば、前記開閉装置１０５は開閉板８０を含み、前記開閉板８０は総計二つ設置されており、前記開閉板８０の中には開口板軸３５が設置され、前記開口板軸３５の上には開口板捩りばね３６が設置され、前記開口板軸３５は前記作動空間７４の前後端壁とそれぞれ転動できるように連結され、前記開閉板８０の左右端面にはそれぞれ小ブロック滑り溝３７が設置され、左端の前記小ブロック滑り溝３７の左端壁には縄溝３４が設置され、前記縄溝３４の左端壁と前記縦溝３２と連通しており、前記小ブロック滑り溝３７の中には小ブロック３９がそれぞれ滑られるように連結され、前記小ブロック３９の左右端面にはそれぞれ当接したラバーパッド４０が設置され、前記小ブロック３９と前記小ブロック滑り溝３７の間には小ブロックパネ３８が連結され、前記縦溝３２の前後端壁には定滑車３３が転動できるように連結され、前記縦溝３２の中には縄ブロック６１が滑られるように連結され、左端の前記小ブロック３９の左端面は前記定滑車３３によって、前記縄ブロック６１との間に長縄７５が連結されており、歯ブラシ９２のヘッド部分を下向きに前記作動空間７４の中に強く押し、そして前記開閉板８０は先に反転し、さらに前記ラバーパッド４０と前記小ブロック３９は前記小ブロック滑り溝３７の中に収納され、最後に前記縄ブロックは下に移動することで、歯ブラシ９２を固定する。
【００２０】
前記浄化装置１０４は左中右三つあり、左側のを例としてすれば、前記浄化装置１０４は軸スリーブ４４を含み、前記軸スリーブ４４と前記作動空間７４の下端壁は前記トリガー溝５３の上端壁と転動できるように連結され、前記軸スリーブ４４の上端には洗浄ローラー７２が設置され、前記洗浄ローラー７２の中には上下対称の輪状滑り溝７０が設置され、前記輪状滑り溝７０の中には小穴８１が設置され、前記作動空間７４の右端壁にはノズル板４２が設置され、前記ノズル板４２の中には前記輪状滑り溝７０と滑られるように連結されたノズル４３が上下対称に設置され、前記ノズルの右端は前記従水管４９と連通しており、前記噴水空間７１の上下端壁には縦軸６５が転動できるように連結され、前記縦軸６５の上端には固定板６６が左右対称に設置され、前記固定板６６の上端面には固定溝６７がそれぞれ設置され、前記固定溝６７の中には固定ブロック６９が滑られるように連結され、前記固定ブロック６９と前記固定溝６７の間には固定ばね６８が連結され、前記縦軸６５は下へ伸びて前記軸スリーブ４４と滑られるように連結され、前記縦軸６５の左右端には位置制限溝４８が対称的に設置され、前記位置制限溝４８の内部の後端には位置制限ブロック４５が設置され、前記位置制限ブロック４５は前記縦軸６５と固定的に連結され、前記位置制限ブロック４５と前記位置制限溝４８との間に位置制限ばね４７が連結され、前記縦軸６５の下端にはトリガー板８２が転動できるように連結され、前記縦軸６５の底端には前記モーター左傘歯車２９と噛み合えるの縦軸傘歯車３０が設置され、前記作動空間７４の左端壁には前記乾燥消毒灯７３が設置され、前記歯ブラシ９２が下へ移動する時には、前記歯ブラシ９２のヘッド部分は前記固定ブロック６９の間に引掛り、そして前記縦軸６５を下に突くことで、前記縦軸６５と前記モーター左傘歯車２９を噛み合わせ、歯ブラシ９２を消毒する。
【００２１】
前記トリガー装置１０３は左中右三つあり、左側のを例としてすれば、前記トリガー装置１０３は止め板軸５１を含み、前記止め板軸は前記トリガー溝５３の前後端壁と転動できるように連結され、前記止め板軸５１の上には止め板捩りばね５０が設置され、前記止め板捩りばね５０の上には止め板８３が設置され、前記トリガー溝５３と前記従水管４９の間にはスイッチ溝７６が連通され、前記止め板８３と前記スイッチ溝７６は前記従水管４９と滑られるように連結され、前記スイッチ溝７６と前記トリガー板８２の間には短縄５２が連結され、前記トリガー板８２の左端面には引掛りブロック引掛り溝５５が設置され、前記引掛りブロック引掛り溝５５の中には引掛りブロック５７が滑られるように連結され、前記引掛りブロック５７と前記引掛りブロック引掛り溝５５の間には引掛りブロックばね５６が連結され、前記移動空間５９の中にはブロック板６３が滑られるように連結され、前記ブロック板６３の左端には台形ブロック６０が設置され、前記短縄５２の右端には前記引掛りブロック引掛り溝７７と滑られるように連結された右ブロック５８が設置され、前記ブロック板６３と前記移動空間５９の右端壁との間にはブロック板ばね６２が連結され、前記引掛りブロックばね５６は前記ブロック板ばね６２より弾力が大きく、前記台形ブロック６０は前記縄ブロック６１と当接しており、前記縄ブロック６１が上に移動し、前記台形ブロック６０と前記ブロック板６３と前記右ブロック５８を右に突くことで、前記引掛りブロック５７を引掛りブロック引掛り溝７７から突き出せ、前記浄化装置１０４のスイッチを独立制御する。
【００２２】
使用時には、まず給水口３１の中に消毒水を入れ、縦軸傘歯車３０とモーター左傘歯車２９を噛合状態から離脱させ、そして歯ブラシ９２を一つの作動空間７４に差し込み、歯ブラシ９２のヘッド部分を下向きに作動空間７４に突くと、乾燥消毒灯７３と開閉板８０は先に反転し、ラバーパッド４０と小ブロック３９は小ブロック滑り溝３７に収納され、そして縄ブロック６１を下へ移動させ、台形ブロック６０とブロック板６３と右ブロック５８を左に移動させることで、右ブロック５８を引掛りブロック引掛り溝７７から離脱させ、そして歯ブラシ９２が下へ移動する時には、歯ブラシ９２のヘッド部分は噴水空間７１の中に入り、同時に固定ブロック６９の間に引掛り、縦軸６５を下に突くことで、縦軸６５とモーター左傘歯車２９を噛み合わせ、そしてトリガー板８２は下へ移動し、引掛りブロック５７は右ブロック５８の中に引掛り、トリガー板８２は短縄５２によって止め板８３を引き上げ、従水管４９を開き、スイッチ溝７６を閉ざし、そして、モーター２３を起動し、モーター軸２８を連動させ、モーター左傘歯車２９とモーター右傘歯車２５を転動させことで、ギヤポンプ２２を動かされ、消毒水を主水管２６と開いた従水管４９とノズル４３と小穴８１に通して歯ブラシ９２のヘッド部分に噴水消毒を行い、モーター左傘歯車２９と縦軸傘歯車３０とは噛み合うことで、縦軸６５、軸スリーブ４４、洗浄ローラー７２、固定板６６と固定ブロック６９を回転連動させ、歯ブラシ９２のヘッド部分に全方位的にノズル４３からの噴水が当たり、噴水完了後、乾燥消毒灯７３を起動し、消毒と乾燥を行い、そして歯ブラシ９２を抜き出し、この時縄ブロック６１は上に移動し、台形ブロック６０と右ブロック５８を右に突くことで、引掛りブロック５７を引掛りブロック引掛り溝７７から突き出せる。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179092.tif 000003
【図２】
2020179092.tif 000004
【図３】
2020179092.tif 000005
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
歯ブラシ消毒セットであり、消毒装置を含み、前記消毒装置の中には動力空間が設置され、前記動力空間の中には動力装置が設置され、前記動力空間の上端壁には水箱が設置され、前記水箱の後端壁には給水口が設置され、前記給水口は外部空間と連通しており、前記水箱の中には水箱装置が設置され、前記動力装置は前記水箱装置の回転を制御し、前記水箱の左端壁には主水管が設置され、前記動力空間の上端壁には軸空間を三つ対称的に設置され、前記軸空間の上端壁にはそれぞれトリガー空間が設置され、前記トリガー空間にはトリガー装置が設置され、前記トリガー空間の左端には引掛りブロック引掛り空間が設置され、前記引掛りブロック引掛り空間の左端壁には移動空間が設置され、前記移動空間の左端壁には縦空間が設置され、前記トリガー空間の上端には作動空間が設置され、前記作動空間の後端壁には外部と連通した排水口が設置され、前記作動空間の中には浄化装置が設置され、前記動力装置は前記浄化装置の回転及び移動を制御し、前記作動空間の上端壁には開閉装置が設置され、前記作動空間の右端壁は従水管と連通しており、前記従水管の下端壁は前記主水管と連通しており、前記作動空間の上端壁には外部空間と連通した通路空間が設置され、前記通路空間の左右端壁にはそれぞれ小ブロック滑り空間が対称的に設置され、左端に位置する前記ブロック滑り空間の左端壁には縄空間が設置され、前記縄空間の左端壁は前記縦空間と連通しており、
前記動力装置にはモーターを含み、前記モーターと前記動力空間の右端壁とは固定的に連結され、前記動力空間の左端にはモーター軸が伝動できるように連結され、前記モーター軸は前記動力空間の左端壁と転動できるように連結され、前記モーター軸の右端にはモーター右傘歯車が設置され、前記モーター軸の左端には同様のモーター左傘歯車が三つ設置され、
前記水箱装置にはギアポンプを含み、前記ギヤポンプの下端にはギヤポンプ軸が設置され、前記ギヤポンプ軸と前記水箱の下端壁は前記動力空間の上端壁と転動できるように連結され、前記ギヤポンプ軸の下端には前記モーター右傘歯車と噛み合った連結傘歯車が設置され、前記連結傘歯車は転動することで、前記ギヤポンプに動力を与えられ、
前記モーターを起動し、前記モーター軸を連動させ、前記モーター左傘歯車及び前記モーター右傘歯車を回転させ、
前記縦軸を下に突くことで、前記縦軸と前記モーター左傘歯車を噛み合わせ、歯ブラシを消毒し、
前記開閉装置は左中右三つあり、左側のを例としてすれば、前記開閉装置は開閉板を含み、前記開閉板は総計二つ設置されており、前記開閉板の中には開口板軸が設置され、前記開口板軸の上には開口板捩りばねが設置され、前記開口板軸は前記作動空間の前後端壁とそれぞれ転動できるように連結され、前記開閉板の左右端面にはそれぞれ小ブロック滑り空間が設置され、左端の前記小ブロック滑り空間の左端壁には縄空間が設置され、前記縄空間の左端壁と前記縦空間と連通しており、前記小ブロック滑り空間の中には小ブロックがそれぞれ滑られるように連結され、前記小ブロックの左右端面にはそれぞれ当接したラバーパッドが設置され、前記小ブロックと前記小ブロック滑り空間の間には小ブロックパネが連結され、前記縦空間の前後端壁には定滑車が転動できるように連結され、前記縦空間の中には縄ブロックが滑られるように連結され、左端の前記小ブロックの左端面は前記定滑車によって、前記縄ブロックとの間に長縄が連結されており、
前記浄化装置は左中右三つあり、左側のを例としてすれば、前記浄化装置は軸スリーブを含み、前記軸スリーブと前記作動空間の下端壁は前記トリガー空間の上端壁と転動できるように連結され、前記軸スリーブの上端には洗浄ローラーが設置され、前記洗浄ローラーの中には上下対称の輪状滑り空間が設置され、前記輪状滑り空間の中には小穴が設置され、前記作動空間の右端壁にはノズル板が設置され、前記ノズル板の中には前記輪状滑り空間と滑られるように連結されたノズルが上下対称に設置され、前記ノズルの右端は前記従水管と連通しており、前記噴水空間の上下端壁には縦軸が転動できるように連結され、前記縦軸の上端には固定板が左右対称に設置され、前記固定板の上端面には固定空間がそれぞれ設置され、前記固定空間の中には固定ブロックが滑られるように連結され、前記固定ブロックと前記固定空間の間には固定ばねが連結され、前記縦軸は下へ伸びて前記軸スリーブと滑られるように連結され、前記縦軸の左右端には位置制限空間が対称的に設置され、前記位置制限空間の内部の後端には位置制限ブロックが設置され、前記位置制限ブロックは前記縦軸と固定的に連結され、前記位置制限ブロックと前記位置制限空間との間に位置制限ばねが連結され、前記縦軸の下端にはトリガー板が転動できるように連結され、前記縦軸の底端には前記モーター左傘歯車と噛み合えるの縦軸傘歯車が設置され、前記作動空間の左端壁には前記乾燥消毒灯が設置され、
前記トリガー装置は左中右三つあり、左側のを例としてすれば、前記トリガー装置は止め板軸を含み、前記止め板軸は前記トリガー空間の前後端壁と転動できるように連結され、前記止め板軸の上には止め板捩りばねが設置され、前記止め板捩りばねの上には止め板が設置され、前記トリガー空間と前記従水管の間にはスイッチ空間が連通され、前記止め板と前記スイッチ空間は前記従水管と滑られるように連結され、前記スイッチ空間と前記トリガー板の間には短縄が連結され、前記トリガー板の左端面には引掛りブロック引掛り空間が設置され、前記引掛りブロック引掛り空間の中には引掛りブロックが滑られるように連結され、前記引掛りブロックと前記引掛りブロック引掛り空間の間には引掛りブロックばねが連結され、前記移動空間の中にはブロック板が滑られるように連結され、前記ブロック板の左端には台形ブロックが設置され、前記短縄の右端には前記引掛りブロック引掛り空間と滑られるように連結された右ブロックが設置され、前記ブロック板と前記移動空間の右端壁との間にはブロック板ばねが連結され、前記引掛りブロックばねは前記ブロック板ばねより弾力が大きく、前記台形ブロックは前記縄ブロックと当接しており、
前記歯ブラシが下へ移動する時には、前記歯ブラシのヘッド部分は前記固定ブロックの間に引掛り、そして前記縦軸を下に突くことで、前記縦軸と前記モーター左傘歯車を噛み合わせ、歯ブラシを消毒し、
歯ブラシのヘッド部分を下向きに前記作動空間の中に強く押し、そして前記開閉板は先に反転し、さらに前記ラバーパッドと前記小ブロックは前記小ブロック滑り空間の中に収納され、最後に前記縄ブロックは下に移動することで、歯ブラシを固定し、
ギヤポンプを動かされ、消毒水を主水管と開いた従水管とノズルと小穴に通して歯ブラシのヘッド部分に噴水消毒を行い、モーター左傘歯車と縦軸傘歯車とは噛み合うことで、縦軸、軸スリーブ、洗浄ローラー、固定板と固定ブロックを回転連動させ、歯ブラシのヘッド部分に全方位的にノズルからの噴水が当たり、噴水完了後、乾燥消毒灯を起動し、消毒と乾燥を行うことを特徴とする歯ブラシ消毒セット。
【手続補正２】
【補正対象書類名】明細書
【補正対象項目名】全文
【補正方法】変更
【補正の内容】
【発明の詳細な説明】
【技術分野】
【０００１】
本発明はセルフケア分野を取り上げて、具体的には歯ブラシ消毒セットである。
【背景技術】
【０００２】
現在、日進月歩の人類社会において、個人衛生と口内ケアはより多くの人々に重要視されている。しかし、日常生活では、人々は歯磨きをしてから、使い終えた歯ブラシをそのままコップにいれることが多い。洗面所といった湿気を帯びた環境では、歯ブラシにはばい菌が生えやすいため、口内衛生に悪影響を与えかねる。ゆくゆくは人々の健康も損なわれる。よって、歯ブラシを消毒及び洗浄できる設備の開発は非常に必要である。
【先行技術文献】
【特許文献】
【０００３】
【特許文献１】中国特許出願公開第１０５１６９４３０号明細書
【発明の概要】
【発明が解決しようとする課題】
【０００４】
本発明は歯ブラシ消毒セットを提供し、既存技術にある上記の欠点を解消することを目的とする。
【課題を解決するための手段】
【０００５】
本発明の歯ブラシ消毒セットは、消毒装置を含み、前記消毒装置の中には動力空間が設置され、前記動力空間の中には動力装置が設置され、前記動力空間の上端壁には水箱が設置され、前記水箱の後端壁には給水口が設置され、前記給水口は外部空間と連通しており、前記水箱の中には水箱装置が設置され、前記動力装置は前記水箱装置の回転を制御し、前記水箱の左端壁には主水管が設置され、前記動力空間の上端壁には軸空間を三つ対称的に設置され、前記軸空間の上端壁にはそれぞれトリガー空間が設置され、前記トリガー空間にはトリガー装置が設置され、前記トリガー空間の左端には引掛りブロック引掛り空間が設置され、前記引掛りブロック引掛り空間の左端壁には移動空間が設置され、前記移動空間の左端壁には縦空間が設置され、前記トリガー空間の上端には作動空間が設置され、前記作動空間の後端壁には外部と連通した排水口が設置され、前記作動空間の中には浄化装置が設置され、前記動力装置は前記浄化装置の回転及び移動を制御し、前記作動空間の上端壁には開閉装置が設置され、前記作動空間の右端壁は従水管と連通しており、前記従水管の下端壁は前記主水管と連通しており、前記作動空間の上端壁には外部空間と連通した通路空間が設置され、前記通路空間の左右端壁にはそれぞれ小ブロック滑り空間が対称的に設置され、左端に位置する前記ブロック滑り空間の左端壁には縄空間が設置され、前記縄空間の左端壁は前記縦空間と連通しておる。
【０００６】
有益的には、前記動力装置にはモーターを含み、前記モーターと前記動力空間の右端壁とは固定的に連結され、前記動力空間の左端にはモーター軸が伝動できるように連結され、前記モーター軸は前記動力空間の左端壁と転動できるように連結され、前記モーター軸の右端にはモーター右傘歯車が設置され、前記モーター軸の左端には同様のモーター左傘歯車が三つ設置される。
【０００７】
有益的には、前記水箱装置にはギアポンプを含み、前記ギヤポンプの下端にはギヤポンプ軸が設置され、前記ギヤポンプ軸と前記水箱の下端壁は前記動力空間の上端壁と転動できるように連結され、前記ギヤポンプ軸の下端には前記モーター右傘歯車と噛み合った連結傘歯車が設置され、前記連結傘歯車は転動することで、前記ギヤポンプに動力を与えられる。
【０００８】
有益的には、  前記開閉装置は左中右三つあり、左側のを例としてすれば、前記開閉装置は開閉板を含み、前記開閉板は総計二つ設置されており、前記開閉板の中には開口板軸が設置され、前記開口板軸の上には開口板捩りばねが設置され、前記開口板軸は前記作動空間の前後端壁とそれぞれ転動できるように連結され、前記開閉板の左右端面にはそれぞれ小ブロック滑り空間が設置され、左端の前記小ブロック滑り空間の左端壁には縄空間が設置され、前記縄空間の左端壁と前記縦空間と連通しており、前記小ブロック滑り空間の中には小ブロックがそれぞれ滑られるように連結され、前記小ブロックの左右端面にはそれぞれ当接したラバーパッドが設置され、前記小ブロックと前記小ブロック滑り空間の間には小ブロックパネが連結され、前記縦空間の前後端壁には定滑車が転動できるように連結され、前記縦空間の中には縄ブロックが滑られるように連結され、左端の前記小ブロックの左端面は前記定滑車によって、前記縄ブロックとの間に長縄が連結されておる。
【０００９】
前記浄化装置は左中右三つあり、左側のを例としてすれば、前記浄化装置は軸スリーブを含み、前記軸スリーブと前記作動空間の下端壁は前記トリガー空間の上端壁と転動できるように連結され、前記軸スリーブの上端には洗浄ローラーが設置され、前記洗浄ローラーの中には上下対称の輪状滑り空間が設置され、前記輪状滑り空間の中には小穴が設置され、前記作動空間の右端壁にはノズル板が設置され、前記ノズル板の中には前記輪状滑り空間と滑られるように連結されたノズルが上下対称に設置され、前記ノズルの右端は前記従水管と連通しており、前記噴水空間の上下端壁には縦軸が転動できるように連結され、前記縦軸の上端には固定板が左右対称に設置され、前記固定板の上端面には固定空間がそれぞれ設置され、前記固定空間の中には固定ブロックが滑られるように連結され、前記固定ブロックと前記固定空間の間には固定ばねが連結され、前記縦軸は下へ伸びて前記軸スリーブと滑られるように連結され、前記縦軸の左右端には位置制限空間が対称的に設置され、前記位置制限空間の内部の後端には位置制限ブロックが設置され、前記位置制限ブロックは前記縦軸と固定的に連結され、前記位置制限ブロックと前記位置制限空間との間に位置制限ばねが連結され、前記縦軸の下端にはトリガー板が転動できるように連結され、前記縦軸の底端には前記モーター左傘歯車と噛み合えるの縦軸傘歯車が設置され、前記作動空間の左端壁には前記乾燥消毒灯が設置されておる。
【００１０】
前記トリガー装置は左中右三つあり、左側のを例としてすれば、前記トリガー装置は止め板軸を含み、前記止め板軸は前記トリガー空間の前後端壁と転動できるように連結され、前記止め板軸の上には止め板捩りばねが設置され、前記止め板捩りばねの上には止め板が設置され、前記トリガー空間と前記従水管の間にはスイッチ空間が連通され、前記止め板と前記スイッチ空間は前記従水管と滑られるように連結され、前記スイッチ空間と前記トリガー板の間には短縄が連結され、前記トリガー板の左端面には引掛りブロック引掛り空間が設置され、前記引掛りブロック引掛り空間の中には引掛りブロックが滑られるように連結され、前記引掛りブロックと前記引掛りブロック引掛り空間の間には引掛りブロックばねが連結され、前記移動空間の中にはブロック板が滑られるように連結され、前記ブロック板の左端には台形ブロックが設置され、前記短縄の右端には前記引掛りブロック引掛り空間と滑られるように連結された右ブロックが設置され、前記ブロック板と前記移動空間の右端壁との間にはブロック板ばねが連結され、前記引掛りブロックばねは前記ブロック板ばねより弾力が大きく、前記台形ブロックは前記縄ブロックと当接しておる。
【発明の効果】
【００１１】
本発明の有益な効果は：本装置は歯ブラシの洗浄と消毒を実現し、歯ブラシが長期に消毒や殺菌をしないことによる口内衛生、ひいては健康への悪影響を免れ、人々が口腔疾患に患う確率をある程度に下げられる。
【図面の簡単な説明】
【００１２】
【図１】図１は本発明の歯ブラシ消毒セットの全体断面の正面構成模式図
【図２】図２は本発明の図１におけるＡの局部拡大図
【図３】図３は本発明の歯ブラシの模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書（いかなる追加特許請求、要約及び附図を含み）に開示した全ての特徴は、特別な叙述がない限り、そのほかの同等或いは類似する目的を持つ代替特徴に取り替えられる。要するに、特別な叙述がない限り、全ての特徴はただ一連の同等或いは類似する特徴の中の一つの例だけである。
【００１５】
以下に図１〜３を交えて本発明について詳しく説明し、簡潔に述べられるよう、ここで下記の方位を規定する：下記の上下左右前後方向は図１本体における投影関係の上下左右前後の方向と一致する。
【００１６】
附図１〜３を参照し、本発明は下記の実施例を採用する：歯ブラシ消毒セットであり、消毒装置１００を含み、前記消毒装置１００の中には動力空間２７が設置され、前記動力空間２７の中には動力装置１０１が設置され、前記動力空間２７の上端壁には水箱２１が設置され、前記水箱２１の後端壁には給水口３１が設置され、前記給水口３１は外部空間と連通しており、前記水箱２１の中には水箱装置１０２が設置され、前記動力装置１０１は前記水箱装置１０２の回転を制御し、前記水箱２１の左端壁には主水管２６が設置され、前記動力空間２７の上端壁には軸空間５４を三つ対称的に設置され、前記軸空間５４の上端壁にはそれぞれトリガー空間５３が設置され、前記トリガー空間５３にはトリガー装置１０３が設置され、前記トリガー空間５３の左端には引掛りブロック引掛り空間７７が設置され、前記引掛りブロック引掛り空間７７の左端壁には移動空間５９が設置され、前記移動空間５９の左端壁には縦空間３２が設置され、前記トリガー空間５３の上端には作動空間７４が設置され、前記作動空間７４の後端壁には外部と連通した排水口６４が設置され、前記作動空間７４の中には浄化装置１０４が設置され、前記動力装置１０１は前記浄化装置１０４の回転及び移動を制御し、前記作動空間７４の上端壁には開閉装置１０５が設置され、前記作動空間７４の右端壁は従水管４９と連通しており、前記従水管４９の下端壁は前記主水管２６と連通しており、前記作動空間７４の上端壁には外部空間と連通した通路空間４１が設置され、前記通路空間４１の左右端壁にはそれぞれ小ブロック滑り空間３７が対称的に設置され、左端に位置する前記ブロック滑り空間３７の左端壁には縄空間３４が設置され、前記縄空間３４の左端壁は前記縦空間３２と連通しておる。  
【００１７】
前記動力装置１０１にはモーター２３を含み、前記モーター２３と前記動力空間２７の右端壁とは固定的に連結され、前記動力空間２７の左端にはモーター軸２８が伝動できるように連結され、前記モーター軸２８は前記動力空間２７の左端壁と転動できるように連結され、前記モーター軸２８の右端にはモーター右傘歯車２５が設置され、前記モーター軸２８の左端には同様のモーター左傘歯車２９が三つ設置され、前記モーター２３を起動し、前記モーター軸２８を連動させ、前記モーター左傘歯車２９及び前記モーター右傘歯車２５を回転させることで、装置全体に動力を与えられる。
【００１８】
前記水箱装置１０２にはギアポンプ２２を含み、前記ギヤポンプ２２の下端にはギヤポンプ軸７９が設置され、前記ギヤポンプ軸７９と前記水箱２１の下端壁は前記動力空間２７の上端壁と転動できるように連結され、前記ギヤポンプ軸７９の下端には前記モーター右傘歯車２５と噛み合った連結傘歯車２４が設置され、前記連結傘歯車２４は転動することで、前記ギヤポンプ２２に動力を与え、装置全体に清潔用水を提供できる。
【００１９】
前記開閉装置１０５は左中右三つあり、左側のを例としてすれば、前記開閉装置１０５は開閉板８０を含み、前記開閉板８０は総計二つ設置されており、前記開閉板８０の中には開口板軸３５が設置され、前記開口板軸３５の上には開口板捩りばね３６が設置され、前記開口板軸３５は前記作動空間７４の前後端壁とそれぞれ転動できるように連結され、前記開閉板８０の左右端面にはそれぞれ小ブロック滑り空間３７が設置され、左端の前記小ブロック滑り空間３７の左端壁には縄空間３４が設置され、前記縄空間３４の左端壁と前記縦空間３２と連通しており、前記小ブロック滑り空間３７の中には小ブロック３９がそれぞれ滑られるように連結され、前記小ブロック３９の左右端面にはそれぞれ当接したラバーパッド４０が設置され、前記小ブロック３９と前記小ブロック滑り空間３７の間には小ブロックパネ３８が連結され、前記縦空間３２の前後端壁には定滑車３３が転動できるように連結され、前記縦空間３２の中には縄ブロック６１が滑られるように連結され、左端の前記小ブロック３９の左端面は前記定滑車３３によって、前記縄ブロック６１との間に長縄７５が連結されており、歯ブラシ９２のヘッド部分を下向きに前記作動空間７４の中に強く押し、そして前記開閉板８０は先に反転し、さらに前記ラバーパッド４０と前記小ブロック３９は前記小ブロック滑り空間３７の中に収納され、最後に前記縄ブロックは下に移動することで、歯ブラシ９２を固定する。
【００２０】
前記浄化装置１０４は左中右三つあり、左側のを例としてすれば、前記浄化装置１０４は軸スリーブ４４を含み、前記軸スリーブ４４と前記作動空間７４の下端壁は前記トリガー空間５３の上端壁と転動できるように連結され、前記軸スリーブ４４の上端には洗浄ローラー７２が設置され、前記洗浄ローラー７２の中には上下対称の輪状滑り空間７０が設置され、前記輪状滑り空間７０の中には小穴８１が設置され、前記作動空間７４の右端壁にはノズル板４２が設置され、前記ノズル板４２の中には前記輪状滑り空間７０と滑られるように連結されたノズル４３が上下対称に設置され、前記ノズルの右端は前記従水管４９と連通しており、前記噴水空間７１の上下端壁には縦軸６５が転動できるように連結され、前記縦軸６５の上端には固定板６６が左右対称に設置され、前記固定板６６の上端面には固定空間６７がそれぞれ設置され、前記固定空間６７の中には固定ブロック６９が滑られるように連結され、前記固定ブロック６９と前記固定空間６７の間には固定ばね６８が連結され、前記縦軸６５は下へ伸びて前記軸スリーブ４４と滑られるように連結され、前記縦軸６５の左右端には位置制限空間４８が対称的に設置され、前記位置制限空間４８の内部の後端には位置制限ブロック４５が設置され、前記位置制限ブロック４５は前記縦軸６５と固定的に連結され、前記位置制限ブロック４５と前記位置制限空間４８との間に位置制限ばね４７が連結され、前記縦軸６５の下端にはトリガー板８２が転動できるように連結され、前記縦軸６５の底端には前記モーター左傘歯車２９と噛み合えるの縦軸傘歯車３０が設置され、前記作動空間７４の左端壁には前記乾燥消毒灯７３が設置され、前記歯ブラシ９２が下へ移動する時には、前記歯ブラシ９２のヘッド部分は前記固定ブロック６９の間に引掛り、そして前記縦軸６５を下に突くことで、前記縦軸６５と前記モーター左傘歯車２９を噛み合わせ、歯ブラシ９２を消毒する。
【００２１】
前記トリガー装置１０３は左中右三つあり、左側のを例としてすれば、前記トリガー装置１０３は止め板軸５１を含み、前記止め板軸は前記トリガー空間５３の前後端壁と転動できるように連結され、前記止め板軸５１の上には止め板捩りばね５０が設置され、前記止め板捩りばね５０の上には止め板８３が設置され、前記トリガー空間５３と前記従水管４９の間にはスイッチ空間７６が連通され、前記止め板８３と前記スイッチ空間７６は前記従水管４９と滑られるように連結され、前記スイッチ空間７６と前記トリガー板８２の間には短縄５２が連結され、前記トリガー板８２の左端面には引掛りブロック引掛り空間５５が設置され、前記引掛りブロック引掛り空間５５の中には引掛りブロック５７が滑られるように連結され、前記引掛りブロック５７と前記引掛りブロック引掛り空間５５の間には引掛りブロックばね５６が連結され、前記移動空間５９の中にはブロック板６３が滑られるように連結され、前記ブロック板６３の左端には台形ブロック６０が設置され、前記短縄５２の右端には前記引掛りブロック引掛り空間７７と滑られるように連結された右ブロック５８が設置され、前記ブロック板６３と前記移動空間５９の右端壁との間にはブロック板ばね６２が連結され、前記引掛りブロックばね５６は前記ブロック板ばね６２より弾力が大きく、前記台形ブロック６０は前記縄ブロック６１と当接しており、前記縄ブロック６１が上に移動し、前記台形ブロック６０と前記ブロック板６３と前記右ブロック５８を右に突くことで、前記引掛りブロック５７を引掛りブロック引掛り空間７７から突き出せ、前記浄化装置１０４のスイッチを独立制御する。
【００２２】
使用時には、まず給水口３１の中に消毒水を入れ、縦軸傘歯車３０とモーター左傘歯車２９を噛合状態から離脱させ、そして歯ブラシ９２を一つの作動空間７４に差し込み、歯ブラシ９２のヘッド部分を下向きに作動空間７４に突くと、乾燥消毒灯７３と開閉板８０は先に反転し、ラバーパッド４０と小ブロック３９は小ブロック滑り空間３７に収納され、そして縄ブロック６１を下へ移動させ、台形ブロック６０とブロック板６３と右ブロック５８を左に移動させることで、右ブロック５８を引掛りブロック引掛り空間７７から離脱させ、そして歯ブラシ９２が下へ移動する時には、歯ブラシ９２のヘッド部分は噴水空間７１の中に入り、同時に固定ブロック６９の間に引掛り、縦軸６５を下に突くことで、縦軸６５とモーター左傘歯車２９を噛み合わせ、そしてトリガー板８２は下へ移動し、引掛りブロック５７は右ブロック５８の中に引掛り、トリガー板８２は短縄５２によって止め板８３を引き上げ、従水管４９を開き、スイッチ空間７６を閉ざし、そして、モーター２３を起動し、モーター軸２８を連動させ、モーター左傘歯車２９とモーター右傘歯車２５を転動させことで、ギヤポンプ２２を動かされ、消毒水を主水管２６と開いた従水管４９とノズル４３と小穴８１に通して歯ブラシ９２のヘッド部分に噴水消毒を行い、モーター左傘歯車２９と縦軸傘歯車３０とは噛み合うことで、縦軸６５、軸スリーブ４４、洗浄ローラー７２、固定板６６と固定ブロック６９を回転連動させ、歯ブラシ９２のヘッド部分に全方位的にノズル４３からの噴水が当たり、噴水完了後、乾燥消毒灯７３を起動し、消毒と乾燥を行い、そして歯ブラシ９２を抜き出し、この時縄ブロック６１は上に移動し、台形ブロック６０と右ブロック５８を右に突くことで、引掛りブロック５７を引掛りブロック引掛り空間７７から突き出せる。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。